(57)【要約】【課題】処理槽から薬液を排出する際の液切れが良く、薬液の濃度低下による劣化が抑制され、薬液の交換頻度が抑制されて薬液の使用量を減らすことができる組織片処理装置を提供する。【解決手段】本発明に係る組織片処理装置１０は、組織片が収容される収容容器３８と、前記収容容器３８が収容される処理槽１６と、を備え、前記収容容器３８には、複数の貫通孔４０が設けられ、前記処理槽１６は、水平方向に対して傾斜して本体部１２に配設されており、前記収容容器３８が前記処理槽１６と同一角度に傾斜して収容される構成である。【選択図】図４
2020112451.tif 000002
【特許請求の範囲】
【請求項１】
組織片が収容される収容容器と、
前記収容容器が収容される処理槽と、を備え、
前記収容容器には、複数の貫通孔が設けられ、
前記処理槽は、水平方向に対して傾斜して本体部に配設されており、
前記収容容器が前記処理槽と同一角度に傾斜して収容される構成であること
を特徴とする組織片処理装置。
【請求項２】
前記処理槽は、作業者と対面する前記本体部の前面に向かって下降するように傾斜して配設されていること
を特徴とする請求項１記載の組織片処理装置。
【請求項３】
前記処理槽の上部の開口部を開閉する開閉蓋を備え、
前記開閉蓋の内面に、前記開閉蓋を閉じた状態で傾斜方向の下方となる第１端部に第１溝部を有し、傾斜方向の上方となる第２端部に第２溝部を有すること
を特徴とする請求項１または請求項２記載の組織片処理装置。
【請求項４】
前記貫通孔は、多角形または長円形に形成され、且つ該多角形の場合にはその一の頂部が、該長円形の場合にはその一の端部が、前記収容容器を前記処理槽に収容した状態で傾斜方向の下方となる位置に配置されるように設けられていること
を特徴とする請求項１〜３のいずれか一項に記載の組織片処理装置。
【請求項５】
前記貫通孔は、円形に形成されていること
を特徴とする請求項１〜３のいずれか一項に記載の組織片処理装置。
【請求項６】
前記処理槽は、一または複数の排出口を有し、
前記排出口は、前記処理槽の傾斜方向の最下部の位置に配設されていること
を特徴とする請求項１〜５のいずれか一項に記載の組織片処理装置。
【発明の詳細な説明】
【技術分野】
【０００１】
本発明は、組織片処理装置に関し、さらに詳細には人体をはじめとする生物から採取した組織片の顕微鏡標本を作製するために必要な処理を行う組織片処理装置に関する。
【背景技術】
【０００２】
生物から採取した組織片（検体）を顕微鏡で観察するための前処理として、固定処理、脱水処理、脱脂処理および浸透処理（包埋処理）をこの順で行う標本作製処理が行われている。当該処理には、これを自動で行う組織片処理装置が広く用いられている（特許文献１：特開２０１５−１５１２号公報参照）。
【０００３】
上記組織片処理装置を用いた標本作製処理は概ね次の通りに進行する。生物から採取された組織片はカセットと呼ばれる小型容器に一片または数片ずつ収容される。次いで、一または複数のカセットが収容容器（バスケット）に収容される。次いで、当該収容容器が組織片処理装置の処理槽（レトルト）に収容される。ここで、組織片処理装置が起動されて、それぞれの薬液ボトルに貯留された複数種類の薬液が所定の順で処理槽内に給排される。これによって、組織片が複数種類の薬液中に浸漬されて標本作製処理が行われる。なお、処理槽内から排出された薬液は薬液ボトルに戻されて、濃度低下その他の劣化により使用不能と判断されるまで繰返し使用される。
【先行技術文献】
【特許文献】
【０００４】
【特許文献１】特開２０１５−１５１２号公報
【発明の概要】
【発明が解決しようとする課題】
【０００５】
このように組織片処理装置においては、一の処理槽に対して複数種類の薬液が給排される。このため、処理槽から薬液を排出した後に薬液が残存していた場合、これが次に供給される別の薬液に混入することになる。したがって、処理槽から薬液を排出する際の薬液の残存量が多いと、次に供給される薬液は濃度低下により劣化しやすくなる。
【０００６】
ここで、従来の組織片処理装置は、処理槽から薬液を排出した後の処理槽の内面、収容容器およびカセットへの薬液の付着が比較的多く、薬液が劣化しやすかった。したがって、薬液を高頻度で交換しなければならないため、薬液の使用量が増加してしまうという問題があった。そこで、処理槽から薬液を排出する際の液切れ（薬液の除去）の改善が望まれていた。
【課題を解決するための手段】
【０００７】
本発明は、上記事情に鑑みてなされ、処理槽から薬液を排出する際の液切れが良く、薬液の濃度低下による劣化が抑制され、薬液の交換頻度が抑制されて薬液の使用量を減らすことができる組織片処理装置を提供することを目的とする。
【０００８】
本発明は、一実施形態として以下に記載するような解決手段により、前記課題を解決する。
【０００９】
本発明に係る組織片処理装置は、組織片が収容される収容容器と、前記収容容器が収容される処理槽と、を備え、前記収容容器には、複数の貫通孔が設けられ、前記処理槽は、水平方向に対して傾斜して本体部に配設されており、前記収容容器が前記処理槽と同一角度に傾斜して収容される構成であることを要件とする。
【００１０】
これによれば、処理槽を傾斜させて配設することによって、処理槽に収容される収容容器および組織片（一例として、カセットに収容された状態）を傾斜させて配置することができる。したがって、カセットや収容容器に付着した薬液を、重力の作用で傾斜面（特に収容容器の底面）を下降させて複数の貫通孔からの滴下（収容容器から処理槽の底面への排出）を促進することができる。さらに、処理槽の底面に流れ出た薬液を、重力の作用で傾斜面（処理槽の底面）を下降させて集約させつつ処理槽外に排出させることができる。その結果、従来と比較して処理槽の液切れが良い組織片処理装置を実現することができる。
【００１１】
また、前記処理槽は、作業者と対面する前記本体部の前面に向かって下降するように傾斜して配設されていることが好ましい。これによれば、従来の処理槽を傾斜させない組織片処理装置と比較して、処理槽に対して収容容器を出し入れしやすくすることができる。
【００１２】
また、前記処理槽の上部の開口部を開閉する開閉蓋を備え、前記開閉蓋の内面に、前記開閉蓋を閉じた状態で傾斜方向の下方となる第１端部に第１溝部を有し、傾斜方向の上方となる第２端部に第２溝部を有することが好ましい。これによれば、開閉蓋が閉じられた状態では開閉蓋の内面に結露した薬液を第１溝部で受け止めることができ、一方、開閉蓋が開けられた状態では開閉蓋の内面に結露した水滴を第２溝部で受け止めることができる。
【００１３】
また、前記貫通孔は、多角形または長円形に形成され、且つ該多角形の場合にはその一の頂部が、該長円形の場合にはその一の端部が、前記収容容器を前記処理槽に収容した状態で傾斜方向の下方となる位置に配置されるように設けられていることが好ましい。これによれば、薬液を多角形または長円形の孔の内縁に沿って下降させて下端の頂部または端部から滴下させることによって、貫通孔から薬液が滴下する作用を促進することができる。
【００１４】
また、前記貫通孔は、円形に形成されていることが好ましい。これによれば、薬液を円形の孔の内縁に沿って下降させて円弧の下端から滴下させることによって、貫通孔から薬液が排出する作用を促進することができる。
【００１５】
また、前記処理槽は、一または複数の排出口を有し、前記排出口は、前記処理槽の傾斜方向の最下部の位置に配設されていることが好ましい。これによれば、傾斜に沿って下降する薬液を当該傾斜面の最下部の位置に集約して処理槽内に残らないように処理槽外に排出させることができる。
【発明の効果】
【００１６】
本発明によれば、処理槽から薬液を排出する際の液切れが良く、薬液の濃度低下による劣化が抑制され、薬液の交換頻度が抑制されて薬液の使用量を減らすことができる組織片処理装置を実現することができる。
【図面の簡単な説明】
【００１７】
【図１】本発明の実施形態に係る組織片処理装置の例を示す概略図（斜視図）である。
【図２】図１の組織片処理装置における処理槽の例を示す概略図（斜視図）である。
【図３】図２の処理槽に収容される収容容器および当該収容容器に収容されるカセットの例を示す概略図（斜視図）である。
【図４】図１の組織片処理装置における図２の処理槽の配置例を示す概略図（側面図）である。
【図５】図４の処理槽の拡大図である。
【発明を実施するための形態】
【００１８】
以下、図面を参照して、本発明の実施形態について詳しく説明する。図１は、本発明の実施形態に係る組織片処理装置１０の例を示す概略図（斜視図）である。また、図２は、図１の組織片処理装置１０における処理槽１６の例を示す概略図（斜視図）である。また、図３は、図２の処理槽１６に収容される収容容器３８および当該収容容器３８に収容されるカセット３６の例を示す概略図（斜視図）である。全図において、同一の機能を有する部材には同一の符号を付し、その繰り返しの説明は省略する場合がある。
【００１９】
本実施形態に係る組織片処理装置１０は、人体をはじめとする生物から採取した組織片の顕微鏡標本を作製するために必要な処理を自動で行う装置である。当該組織片処理装置１０は、図１に示すように、方形の本体部１２に任意のキャスター１４が取付けられて移動可能に構成されている。本体部１２の上面は、一例として設定画面や進行中の処理等が表示されるモニタ（不図示）を備えている。当該モニタ（不図示）には、タッチパネル等の操作部が任意に搭載されている。また、本体部１２上面には、本体部１２に配設された処理槽１６（レトルトともいう）の上部の開口部１８が開口し、当該開口部１８を開閉する開閉蓋２８（レトルト蓋ともいう）が取付けられている。
【００２０】
ここで、図２に示す処理槽１６は、組織片が複数種類の薬液に浸漬されて標本作製処理が行われる容器である。処理槽１６は、一定の容積を有し、本実施形態では一例として直方体状に形成されているがこれに限られない。例えば立法体状、円筒状に形成することも考えられる。また、底部は、本実施形態では一例として平面状に形成されているがこれに限られない。例えば漏斗状、角錐・円錐状に形成することも考えられる。また、処理槽１６の内面には、薬液を供給する供給口２０が側面に配設され、薬液を排出する排出口２２が底面に配設されている。その他、符号２４はモータ、符号２６はモータ２４の駆動により回転可能な回転体を示し、処理槽１６外部の回転体２６の位置に対応する処理槽１６内部の位置に撹拌子（不図示）を備えている。回転体２６および撹拌子（不図示）は共に磁石が内蔵された構成を有している。これによって、モータ２４の駆動により回転体２６を回転させて撹拌子（不図示）を回転させることによって処理槽１６内に貯留された液体を撹拌することができる。
【００２１】
また、人体等から採取された組織片は、通常、以下のようにして処理槽１６内に収容される。すなわち、図３に示すように、先ず、組織片はカセット３６と呼ばれる小型容器に一片または数片ずつ収容される。次いで、一または複数のカセット３６が収容容器３８（バスケットともいう）に収容される。次いで、当該収容容器３８が処理槽１６内に収容される。この収容容器３８は、固定蓋３８ａを備え、カセット３６の大きさに対応した仕切板３８ｂを任意に備えて構成されている。また、固定蓋３８ａおよび仕切板３８ｂを含めた各部材には複数の貫通孔４０が設けられている。収容容器３８の形状は限定されないが、本実施形態では一例として平面形状が処理槽１６の平面形状に対して相似形となる形状に形成されている。これによって、収容容器３８を収容した際の処理槽１６内に生ずる隙間を少なくすることができ、処理槽１６内の空間を無駄なく使用することができる。本発明の課題を解決するための処理槽１６および開閉蓋２８、ならびに収容容器３８の特徴的な構成については後述する。
【００２２】
次に、本体部１２内部は、図１に示すように、下部に複数段（本実施形態では二段）のボトルラック３０を備えている。当該ボトルラック３０には、固定処理を行うホルマリン、脱水処理を行うアルコール、脱脂処理を行うキシレン等を貯留する複数の薬液ボトル３２（一部のみ図示）が配設されている。標本作製に係る処理は、同一の処理が複数回にわたって行われるため、ボトルラック３０には同一種類の薬液を貯留する薬液ボトル３２が複数配設されることになる。また、本体部１２内部は、中央部にその内部を一定温度に加温保持することができるオーブン３４を備えている。当該オーブン３４には、浸透処理（包埋処理）を行うパラフィンを貯留する複数の薬液ボトル（不図示）が配設されている。これによって、室温で固化するパラフィンを溶融状態で保持して処理に供するために待機させることができる。なお、オーブン３４の保持温度は一例として６０［℃］前後である。また、本体部１２内部は、上部に薬液の蒸発したガスの臭気を除去する取替可能なフィルタ（不図示）を備えている。当該フィルタ（不図示）には、一例として活性炭フィルタが用いられる。
【００２３】
また、組織片処理装置１０は動作に関する以下の構成を内部に備えている。第一に、一方で処理槽１６と管路を介して接続され、他方で複数の薬液ボトル３２とそれぞれの管路を介して接続された選択バルブ（不図示）を備えている。当該選択バルブ（不図示）は、これらの薬液ボトル３２から選択された一の薬液ボトル３２と処理槽１６とを連通可能とするものである。当該選択バルブ（不図示）には、一例としてロータリーバルブが用いられる。
【００２４】
第二に、処理槽１６と選択バルブ（不図示）とを接続する管路の中途に切換バルブ（不図示）を備えている。当該切換バルブ（不図示）は、管路を介して選択バルブ（不図示）と接続される他、処理槽１６に対してはそれぞれの管路を介して供給口２０および排出口２２と接続されている。当該切換バルブ（不図示）は、処理槽１６へ薬液を供給（移送）する際に、供給口２０との管路を開状態且つ排出口２２との管路を閉状態として、選択バルブ（不図示）と供給口２０とを連通する。また、処理槽１６から薬液を排出（移送）する際に、排出口２２との管路を開状態且つ供給口２０との管路を閉状態として、排出口２２と選択バルブ（不図示）とを連通する。また、処理槽１６内で薬液中に組織片を浸漬する際に、供給口２０および排出口２２への両方の管路を閉状態として、処理槽１６と選択バルブ（不図示）とを遮断する。
【００２５】
第三に、処理槽１６と管路を介して接続されるエアポンプ（不図示）を備えている。当該エアポンプ（不図示）は、処理槽１６内のガス交換を行う。また、選択された薬液ボトル３２から処理槽１６へ薬液を移送する（引き込む）際に、処理槽１６内を減圧する。また、処理槽１６から選択された薬液ボトル３２へ薬液を移送する（送り出す）際に、処理槽１６内を加圧する。
【００２６】
第四に、選択バルブ（不図示）、切換バルブ（不図示）およびエアポンプ（不図示）はそれぞれの配線を介して制御部（不図示）に電気的に接続されている。当該制御部（不図示）は、ＣＰＵおよびメモリから構成され、予め動作プログラムが設定されており、前述の操作部等から入力される設定信号に基づいて上記各構成の制御を行う。これによって、選択バルブ（不図示）、切換バルブ（不図示）およびエアポンプ（不図示）を連動させることができる。
【００２７】
以上の構成によれば、選択バルブ（不図示）の動作により所望の薬液ボトル３２が選択されると共に切換バルブ（不図示）の切換えにより供給口２０との管路が開状態とされることによって当該薬液ボトル３２から供給口２０を介して処理槽１６内までの流路が開通する。そして、エアポンプ（不図示）により処理槽１６内が減圧されることによって当該薬液ボトル３２の薬液を処理槽１６内に供給（移送）することができる。次いで、切換バルブ（不図示）の切換えにより供給口２０との管路が閉状態とされることによって処理槽１６内に薬液を貯留して組織片を浸漬することができる。次いで、選択バルブ（不図示）の動作により所望の薬液ボトル３２（薬液が貯留されていたタンクまたはそれ以外のタンク）が選択されると共に切換バルブ（不図示）の切換えにより排出口２２との管路が開状態とされることによって処理槽１６内から排出口２２を介して当該薬液ボトル３２までの流路が開通する。そして、エアポンプ（不図示）により処理槽１６内が加圧されることによって処理槽１６内の薬液を当該薬液ボトル３２に排出（移送）することができる。さらに、制御部（不図示）の制御によって、これら一連の動作を複数の薬液ボトル３２について順序正しく行うことができる。すなわち、具体的な薬液処理例として、処理槽１６内の組織片をホルマリンに浸漬して固定処理を行い、アルコールに浸漬して脱水処理を行い、キシレンに浸漬して脱脂処理を行い、パラフィンに浸漬して浸透処理（包埋処理）を行う標本作製処理を施すことができる。
【００２８】
ここで、処理槽１６内から薬液ボトル３２に排出（移送）された薬液は、濃度低下その他の劣化により使用不能と判断されるまで繰返し使用される。本実施形態に係る組織片処理装置１０には、濃度センサ（不図示）が搭載されている。これによって、作業者が運転開始時等に各薬液の濃度を確認して各薬液ボトル３２の再使用の可否を確認することが可能になっている。
【００２９】
このように、組織片処理装置１０は処理槽１６内において複数種類の薬液の給排が連続して行われる。このため、薬液を排出した後に処理槽１６内（処理槽１６の内面、収容容器３８、およびカセット３６）に付着して残存した薬液は、次に供給される別の薬液に混入することになる。したがって、薬液を排出する際の液切れ（薬液の除去）が悪いと、薬液の濃度低下による劣化が進行しやすい。このことは、異なる種類の薬液間だけでなく、同一種類の薬液間でむしろ問題となる。
【００３０】
すなわち、例えばアルコールによる脱水処理では、複数回（本実施形態では７回）にわたる浸漬処理によって組織片から徐々に水分が滲み出していく。通常は、処理回数が少ない程組織片からは多くの水分が滲み出し、処理を繰り返す度に徐々に少なくなって最後の処理では最も少なくなるため、先に処理に供されるアルコール程処理に伴う濃度低下が大きくなる。このため、制御部（不図示）は、濃度センサ（不図示）からそれぞれの薬液ボトル３２に貯留されたアルコールの濃度の情報を受けて、最も濃度が低いアルコールから順に処理に供する制御を行うことによって、アルコール全体の劣化を最小限に抑制している。したがって、処理槽１６内に残存したアルコールが次に供給されるアルコールに混入すると、濃度の低いアルコールが濃度の高いアルコールに混入することになるため、次に供給されるアルコールの濃度が低下して劣化することとなる。
【００３１】
以上の例は、キシレンによる脱脂処理等でも同様に起こる。その結果、薬液を高頻度で交換しなければならず、薬液の使用量が増加してしまう。そこで、本発明は、以下の特徴的な構成によって薬液を排出する際の液切れ（薬液の除去）が良い組織片処理装置１０を実現した。
【００３２】
図４は、本実施形態における組織片処理装置１０の処理槽１６の配置例を示す概略図（側面図）である。また、図５は、図４の処理槽１６の拡大図（図４中のＶで示した部分を拡大した図）である。なお、図５の破線は本体部１２の上面を示し、水平方向を示している。
【００３３】
先ず、処理槽１６は、図４および図５に示すように、水平方向に対して傾斜して本体部１２に配設されており、収容容器３８が処理槽１６と同一角度に傾斜して収容される構成を有している。ここで、「同一」とは、完全同一に限定されず、数度の差がある場合も含むものである。
【００３４】
これによれば、処理槽１６、収容容器３８および当該収容容器３８に収容される組織片の入ったカセット３６を全て傾斜して本体部１２に配設することができる。したがって、重力の作用により、カセット３６や収容容器３８に付着した薬液を、傾斜した収容容器３８の底面（特に内面）を下降させて複数の貫通孔４０からの処理槽１６の底面への排出を促進することができる。さらに、処理槽１６の底面に流れ出た（滞留した）薬液を、傾斜面（処理槽１６の底面）を下降させて集約させつつ排出口２２から処理槽１６外に排出させることができる。その結果、従来と比較して処理槽１６の液切れが良い組織片処理装置１０を実現することができる。処理槽１６の傾斜角度は、基本的には大きく設定する方が液切れが良く、４０〜５０［°］の範囲が好適である。一方、傾斜角度を大きくすることに伴う処理槽１６の容積の増加による薬液使用量の増加や本体部１２の高さの増加による組織片処理装置１０の大型化を考慮した場合には、５〜２０［°］の範囲が好適である。ただし、傾斜角度がこれらの範囲に限定される訳ではない。なお、本実施形態では、８［°］に構成している。
【００３５】
ここで、処理槽１６に設けられる排出口２２は、本実施形態では一例として処理槽１６の傾斜方向の最下部の位置に配設されている。これによれば、傾斜に沿って下降する薬液を当該傾斜の最下部の位置に集約して処理槽１６内に残らないように処理槽１６外に排出させることができる。このため、上記の処理槽１６を傾斜して配設する構成による作用効果を最大に発揮させることが可能になる。ただし、「傾斜方向の最下部の位置」とは、図２、図４および図５に示す排出口２２の位置に限られず、当該位置の周辺の処理槽１６の底面の位置および処理槽１６の側面の位置、ならびに傾斜方向の最下部の底面と側面との角部の位置を含む。なお、排出口２２の数、形状等は特に限定されない。
【００３６】
また、処理槽１６は、本実施形態では一例として作業者と対面する本体部１２の前面（ボトルラック３０およびオーブン３４が開口する側の面）に向かって下降するように傾斜して配設されている。これによれば、処理槽１６を傾斜させない従来の装置と比較して、処理槽１６に対して収容容器３８が出し入れしやすいという効果を得ることができる。ただし、処理槽１６の傾斜の向きは限定されず、他の例として本体部１２の左右の側方に向けて傾斜して配設する構成も考えられる。
【００３７】
また、処理槽１６が傾斜して本体部１２に配設される構成によって、一例として処理槽１６の上部に取付けられた開閉蓋２８も、開閉蓋２８を閉じた状態で処理槽１６と同一角度に傾斜する構成を有している（図１および図４参照。図面は開閉蓋２８を開いた状態）。ここで、開閉蓋２８は、本実施形態では一例として内面に開閉蓋２８を閉じた状態で傾斜方向の下方となる第１端部２８ａに第１溝部４２を有し、傾斜方向の上方となる第２端部２８ｂに第２溝部４４を有して構成されている。これによれば、標本作製処理が行われている間の開閉蓋２８が閉じられた状態では、結露によって開閉蓋２８の内面に付着した薬液を、開閉蓋２８の傾斜に沿って下降させて傾斜下方に位置する第１溝部４２で受け止めることができる。一方、標本作製処理が完了した後に開閉蓋２８が開けた状態では、室温に比べて高温の開閉蓋２８の内面に結露によって付着した水滴を、開閉蓋２８の傾斜に沿って下降させて傾斜下方に位置する第２溝部４４で受け止めることができる。したがって、処理槽１６内に水分が入ることが防止され、特に開閉蓋２８が開けた際に処理槽１６内の組織片に水分が付着することを防止することができる。
【００３８】
なお、当該開閉蓋２８は、本実施形態では一例として本体部１２の前面側から後面側に向かって開かれる構成を有し、処理槽１６の傾斜に合わせて可動範囲が適宜設定される。これによって、開閉蓋２８を開けた際に作業者の視線が開閉蓋２８の長手方向に重なって作業者に圧迫感を与えることや開閉蓋２８が誤って閉じられやすくなること等を防止することができる。
【００３９】
また、処理槽１６に収容される収容容器３８に設けられた貫通孔４０は、図３に示すように、本実施形態では一例として円形に形成されている。この構成は、発明者らによって収容容器３８の形態として種々の検討された結果、処理槽１６外への薬液の排出に好適な構成の例である。これによれば、先ず収容容器３８に孔が配設されることによって当該孔から薬液を処理槽１６の底面に滴下させて下方に移動させることができる。さらに、本実施形態では、傾斜して配置される収容容器３８において角部および端部を有しない円形の貫通孔４０を配置することによって、薬液を円形の孔の内縁に沿って下降させて円弧の下端から滴下させて貫通孔４０から薬液が排出する作用を促進することができる。なお、貫通孔４０は、本実施形態ではパンチングメタルによる孔として構成されているがこれに限定されず、例えばワイヤーを編み込んで収容容器３８を構成した上で孔を形成する等としてもよい。
【００４０】
さらに、他の例として貫通孔４０を多角形または長円形に形成してもよい。このとき、貫通孔４０を多角形に形成した場合にはその一の頂部が、貫通孔４０を長円形の場合にはその一の端部が、収容容器３８を処理槽１６に収容した状態で傾斜方向の下方となる位置に配置されるように設けられる構成（不図示）とすることが好適である。この構成も、発明者らによって収容容器３８の形態として種々の検討された結果、処理槽１６外への薬液の排出に好適な構成の他の例である。これによれば、収容容器３８の傾斜方向の下方となる位置に多角形の頂部または長円形の端部を配置することによって、薬液を多角形または長円形の孔の内縁に沿って下降させて下端の頂部または端部から滴下させて貫通孔４０から薬液が滴下する作用を促進することができる。なお、上記の多角形には、三角形、四角形（正方形、長方形、ひし形等）、五角形等を含み、さらにこれらの頂部が丸みを帯びて形成された三角形、四角形（正方形、長方形、ひし形等）、五角形等に準ずる形状も含む。また、上記の長円形には、楕円形から長端部が丸みを帯びて形成された棒状形状までを含む。また、貫通孔４０の数、大きさ等は特に限定されず、貫通孔４０の形状も上記の二例以外の形状とすることも考えられる。
【００４１】
以上の構成によれば、処理槽を傾斜させて配設することによって、処理槽に収容される収容容器および組織片（一例として、カセットに収容された状態）を傾斜させて配置することができる。したがって、カセットや収容容器に付着した薬液を、重力の作用で傾斜面（特に収容容器の底面）を下降させて複数の貫通孔からの滴下（収容容器から処理槽の底面への排出）を促進することができる。さらに、処理槽の底面に流れ出た薬液を、重力の作用で傾斜面（処理槽の底面）を下降させて集約させつつ処理槽外に排出させることができる。その結果、従来と比較して、処理槽の液切れが良く、薬液の濃度低下による劣化が抑制され、薬液の交換頻度が抑制されて薬液の使用量を減らすことができる組織片処理装置を提供することが可能になる。
【００４２】
なお、本発明は、以上説明した実施形態に限定されることなく、本発明を逸脱しない範囲において種々変更可能である。
【符号の説明】
【００４３】
１０  組織片処理装置
１２  本体部
１６  処理槽
２０  供給口
２２  排出口
２８  開閉蓋
２８ａ  第１端部
２８ｂ  第２端部
３６  カセット
３８  収容容器
４０  貫通孔
４２  第１溝部
４４  第２溝部
【図１】
2020112451.tif 000003
【図２】
2020112451.tif 000004
【図３】
2020112451.tif 000005
【図４】
2020112451.tif 000006
【図５】
2020112451.tif 000007